(57)【要約】【課題】  携帯端末を保持したまま他の作業を行うことができるとともに、携帯端末を安定的に保持することができる端末保持具の提供。【解決手段】  携帯端末を保持するための端末保持具は、固定部２と、保持部３と、を有している。固定部２は、携帯端末又は携帯端末を覆う端末収納ケースに固定される固定面を有している。保持部３は、両端が固定部２に接続され、固定部２との間に指が挿入される指挿入空間３ａが規定され、指挿入空間３ａに指を挿入することにより携帯端末を保持する。指挿入空間３ａは固定部２の固定面に直交する方向から見て固定部２とは重複していない。【選択図】図１
2020022149.tif 000002
【特許請求の範囲】
【請求項１】
携帯端末を保持するための端末保持具であって、
前記携帯端末又は前記携帯端末を覆う端末収納ケースに固定される固定面を有する固定部と、
両端が前記固定部に接続され、指が挿入される指挿入空間が規定され、前記指挿入空間に指を挿入することにより前記携帯端末又は前記端末収納ケースを保持する保持部と、を有し、
前記指挿入空間は前記固定面に直交する方向から見て前記固定部とは重複していないことを特徴とする端末保持具。
【請求項２】
前記指挿入空間は、前記固定部と前記保持部との間に規定され、
前記指挿入空間に挿入される指は小指であって、
前記指挿入空間と、前記固定面と、は略平行であることを特徴とする請求項１に記載の端末保持具。
【請求項３】
前記保持部は略平板形状をなし、前記固定部に接続される一端部と、前記固定部に接続される他端部と、前記一端部と前記他端部とを繋ぎ、前記指挿入空間に挿入された前記指を支える指支持部と、を有し、
前記保持部は、前記一端部から前記指支持部にかけて所定方向に捻れるとともに、前記指支持部から前記他端部にかけて前記所定方向に捻れていることを特徴とする請求項１または２に記載の端末保持具。
【請求項４】
前記指支持部は前記一端部及び前記他端部よりも幅が太く、
前記固定部は、前記保持部が接続される接続部分に切込が形成されていることを特徴とする請求項３に記載の端末保持具。
【請求項５】
前記保持部は略平板形状をなし、前記固定部に接続される一端部と、前記固定部に接続される他端部と、前記一端部と前記他端部とを繋ぎ、前記指挿入空間に挿入された前記指を支える指支持部と、を有し、
前記指挿入空間は、前記一端部と、前記他端部と、前記指支持部と、によって囲まれた空間であって、
前記指挿入空間に指を挿入する挿入方向は、前記固定面と略平行な方向であることを特徴とする請求項１に記載の端末保持具。
【請求項６】
前記固定部は、前記一端部が接続される第１固定部と、前記他端部が接続される第２固定部と、を有し、
前記第２固定部には、前記第１固定部が嵌合される嵌合孔が形成され、
前記第２固定部が前記嵌合孔に嵌合されることにより、前記一端部と、前記他端部と、前記指支持部と、によって前記前記指挿入空間が形成されることを特徴とする請求項５に記載の端末保持具。
【請求項７】
携帯端末を保護するための端末収納ケースであって、
本体部と、
前記本体部に固定される固定面を有する固定部と、両端が前記固定部に接続され、前記固定部との間に指が挿入される指挿入空間が規定され、前記指挿入空間に指を挿入することにより前記本体部を保持する保持部と、を有する端末保持具と、を有し、
前記指挿入空間は前記固定面に直交する方向から見て前記固定部及び前記本体部とは重複しておらず、
前記固定部は、前記携帯端末と前記本体部との間に挟持され、
前記保持部は、前記本体部の下端部から下方に向けて突出していることを特徴とする端末収納ケース。
【請求項８】
前記指挿入空間に挿入される指は小指であって、
前記小指を前記指挿入空間に挿入して前記本体部を手で把持したとき、前記本体部の前記下端部が支点となって前記本体部を支えていることを特徴とする請求項７に記載の端末収納ケース。
【請求項９】
携帯端末又は前記携帯端末を覆う端末収納ケースに固定される第１固定部と、
前記携帯端末又は前記端末収納ケースに固定される第２固定部と、
前記第１固定部と、前記第２固定部と、を接続方向に繋ぎ、前記第１固定部及び前記第２固定部よりも前記接続方向と直交する方向における幅が狭い保持部と、を有し、
前記第１固定部と、前記第２固定部と、前記保持部と、は同一平面上に位置し、
前記第１固定部と前記第２固定部とを前記携帯端末に固定したとき、前記保持部によって指挿入空間が規定されるとともに、前記指挿入空間は前記第１固定部に直交する方向から見て前記第１固定部及び前記第２固定部とは重複していないことを特徴とする端末保持具。
【請求項１０】
前記保持部は前記接続方向に延びる略平板形状をなし、前記第１固定部に接続される一端部と、前記第２固定部に接続される他端部と、前記一端部と前記他端部とを前記接続方向に繋ぎ、前記指挿入空間に挿入された前記指を支える指支持部と、を有し、
前記一端部と前記第１固定部との接続部分は、前記第１固定部における前記接続方向と平行な中心線からずれた位置に配置され、
前記他端部と前記第２固定部との接続部分は、前記第２固定部における前記接続方向と平行な中心線からずれた位置に配置され、
前記一端部と前記第１固定部との前記接続部分、及び前記他端部と前記第２固定部との前記接続部分は、前記接続方向において同一線上に位置していることを特徴とする請求項９に記載の端末保持具。
【発明の詳細な説明】
【技術分野】
【０００１】
本発明は端末保持具及び端末収納ケースに関し、特に携帯端末を保持する端末保持具及び携帯端末を収納する端末収納ケースに関する。
【背景技術】
【０００２】
従来より、ユーザが指を挿入するための２つのリングが設けられた携帯端末装置用保持具が知られている（例えば、特許文献１）。携帯端末装置用保持具は、携帯端末の背面中央付近に固定され、指用保持部に指を挿入して携帯端末を保持するとともに、指用保持部を支えとして携帯端末を斜めに立てることができる。
【０００３】
他の携帯情報機器用ケースは、必要なときにスタンドとして使用することができる（例えば、特許文献２）。携帯情報機器用ケースは、背面にリング状の支脚と、支脚が収納可能な凹部と、を有している。支脚及び凹部は、携帯情報機器用ケースの背面の中央部分に設けられていて、支脚を凹部から露出させて地面と当接させることにより携帯情報機器用ケースを地面の上に斜めに載置することができる。
【先行技術文献】
【特許文献】
【０００４】
【特許文献１】特開２０１７−６９７９１号
【特許文献２】特開２０１０−３６８２３７号公報
【発明の概要】
【発明が解決しようとする課題】
【０００５】
特許文献１に記載の携帯端末装置保持具は、携帯端末の表示面と直交する方向から見て指支持部と基体とが重複しているため、携帯端末の周縁に取り付けることができなかった。つまり、携帯端末の周縁に携帯端末装置保持具を取り付けると基体が携帯端末からはみ出てしまった。これにより、携帯端末の端部に指支持部を配置することができないため、携帯端末を保持する自由度に欠けていた。
【０００６】
また、携帯端末装置保持具及び携帯情報機器用ケースでは、指を通すリング部が背面の中央付近に設けられているため、中指又は人差し指をリング部に通すことにより当該ケースを保持していた。中指又は人差し指でケースを保持すると、他の作業を行うために携帯情報端末ケースから手を離したとしても中指又は人差し指がリング部に挿入されているため、掌の上に携帯端末が存在している状態であった。これにより、携帯情報端末ケースが邪魔になって手を使う他の作業、例えば、鞄の中から物を取出す作業などがやり難かった。
【０００７】
また、携帯端末の背面中央付近にリング部が設けられており、携帯端末の重心位置近傍で携帯端末を支持することとなるため、掌の上での安定性に欠けていた。つまり、携帯端末を略水平に把持していた場合には、携帯端末の重心近傍で支えているため携帯情報端末を操作した際に掌の上でぐらつくことがあった。
【０００８】
そこで、本発明は、携帯端末を保持したまま他の作業を行うことができるとともに、携帯端末を安定的に保持することができる端末保持具及び端末収納ケースを提供することを目的とする。
【課題を解決するための手段】
【０００９】
上記課題を解決するために第１の発明は、携帯端末を保持するための端末保持具であって、前記携帯端末又は前記携帯端末を覆う端末収納ケースに固定される固定面を有する固定部と、両端が前記固定部に接続され、指が挿入される指挿入空間が規定され、前記指挿入空間に指を挿入することにより前記携帯端末又は前記端末収納ケースを保持する保持部と、を有し、前記指挿入空間は前記固定面に直交する方向から見て前記固定部とは重複していないことを特徴とする端末保持具提供している。
【００１０】
第２の発明では、第１の発明に記載された端末保持具であって、前記指挿入空間は、前記固定部と前記保持部との間に規定され、前記指挿入空間に挿入される指は小指であって、前記指挿入空間と、前記固定面と、は略平行であることを特徴としている。
【００１１】
第３の発明では、第１の発明又は第２の発明に記載された端末保持具であって、前記保持部は略平板形状をなし、前記固定部に接続される一端部と、前記固定部に接続される他端部と、前記一端部と前記他端部とを繋ぎ、前記指挿入空間に挿入された前記指を支える指支持部と、を有し、前記保持部は、前記一端部から前記指支持部にかけて所定方向に捻れるとともに、前記指支持部から前記他端部にかけて前記所定方向に捻れていることを特徴としている。
【００１２】
第４の発明では、第３の発明に記載された端末保持具であって、前記指支持部は前記一端部及び前記他端部よりも幅が太く、前記固定部は、前記保持部が接続される接続部分に切込が形成されていることを特徴としている。
【００１３】
第５の発明では、第１の発明に記載された端末保持具であって、前記保持部は略平板形状をなし、前記固定部に接続される一端部と、前記固定部に接続される他端部と、前記一端部と前記他端部とを繋ぎ、前記指挿入空間に挿入された前記指を支える指支持部と、を有し、前記指挿入空間は、前記一端部と、前記他端部と、前記指支持部と、によって囲まれた空間であって、前記挿入空間に小指を挿入する挿入方向は、前記固定面と略平行な方向であることを特徴としている。
【００１４】
第６の発明は、第５の発明に記載された端末保持具であって、前記固定部は、前記一端部が接続される第１固定部と、前記他端部が接続される第２固定部と、を有し、前記第２固定部には、前記第１固定部が嵌合される嵌合孔が形成され、前記第２固定部が前記嵌合孔に嵌合されることにより、前記一端部と、前記他端部と、前記指支持部と、によって前記指挿入空間が形成されることを特徴としている。
【００１５】
第７の発明は、携帯端末を保護するための端末収納ケースであって、本体部と、前記本体部に固定される固定面を有する固定部と、両端が前記固定部に接続され、前記固定部との間に指が挿入される指挿入空間が規定され、前記指挿入空間に指を挿入することにより前記本体部を保持する保持部と、を有する端末保持具と、を有し、前記指挿入空間は前記固定面に直交する方向から見て前記固定部及び前記本体部とは重複しておらず、前記固定部は、前記携帯端末と前記本体部との間に挟持され、前記保持部は、前記本体部の下端部から下方に向けて突出していることを特徴とする端末収納ケースを提供している。
【００１６】
第８の発明は、第７の発明に記載された端末収納ケースであって、前記指挿入空間に挿入される指は小指であって、前記小指を前記指挿入空間に挿入して前記本体部を手で把持したとき、前記本体部の前記下端部が支点となって前記本体部を支えていることを特徴としている。
【００１７】
第９の発明は、携帯端末又は前記携帯端末を覆う端末収納ケースに固定される第１固定部と、前記携帯端末又は前記端末収納ケースに固定される第２固定部と、前記第１固定部と、前記第２固定部と、を接続方向に繋ぎ、前記第１固定部及び前記第２固定部よりも前記接続方向と直交する方向における幅が狭い保持部と、を有し、前記第１固定部と、前記第２固定部と、前記保持部と、は同一平面上に位置し、前記第１固定部と前記第２固定部とを前記携帯端末に固定したとき、前記保持部によって指挿入空間が規定されるとともに、前記指挿入空間は前記第１固定部に直交する方向から見て前記第１固定部及び前記第２固定部とは重複していないことを特徴とする端末保持具を提供している。
【００１８】
ここでいう同一平面上に位置するとは、第１固定部と第２固定部と保持部とが、図４（ａ）、図１１（ａ）、及び図１２（ａ）に示すように、平滑な平面の上に凹凸なくフラットな状態で存在することをいう。
【００１９】
第１０の発明では、第９発明に記載された端末保持具であって、前記保持部は前記接続方向に延びる略平板形状をなし、前記第１固定部に接続される一端部と、前記第２固定部に接続される他端部と、前記一端部と前記他端部とを前記接続方向に繋ぎ、前記指挿入空間に挿入された前記指を支える指支持部と、を有し、前記一端部と前記第１固定部との接続部分は、前記第１固定部における前記接続方向と平行な中心線からずれた位置に配置され、前記他端部と前記第２固定部との接続部分は、前記第２固定部における前記接続方向と平行な中心線からずれた位置に配置され、前記一端部と前記第１固定部との前記接続部分、及び前記他端部と前記第２固定部との前記接続部分は、前記接続方向において同一線上に位置していることを特徴としている。
【発明の効果】
【００２０】
第１の発明によると、指挿入空間は固定面に直交する方向から見て固定部とは重複していないため、固定部が障害とならず携帯端末の周縁端部に保持部を配置することができる。これにより、従来の携帯端末装置保持具と比較して任意の位置に端末保持具を配置することができ、保持の自由度が高くなる。つまり、端末保持具を携帯端末の周縁端部に配置することができ、例えば、保持部を固定面に直交する方向から見て携帯端末とは重複しない位置であって、携帯端末から突出するように配置することができる。また、指挿入空間に指を挿入する際に、固定部と干渉することなく簡単に指を挿入することができる。
【００２１】
第２の発明によると、指挿入空間と固定面とは略平行であるため、固定部が障害とならず携帯端末の周縁端部に保持部を配置することができる。これにより、従来の携帯端末装置保持具と比較して保持の自由度が高くなる。また、指挿入空間に挿入される指は小指であるため、ユーザは小指のみを指挿入空間に挿入することにより携帯端末を保持することができる。携帯端末を保持した状態のまま他の作業を行いたい場合には、携帯端末の把持を解除して保持部を中心に携帯端末を回転させることで掌から携帯端末を離間させつつ保持することができる。これにより、掌に携帯端末が存在しなくなるため、小指で携帯端末を保持しつつ自由に他の作業、例えば、鞄の中から必要な物を取出すなどの作業を行うことができる。また、携帯端末を保持するのは小指のみを使用しているため、他の指は比較的自由に使用することができる。これにより、携帯端末に設けられたカメラで自撮りをする際に、携帯端末を安定的に保持するとともに小指以外の他の指を使用してブレることなく撮影することができる。さらに、指挿入空間に挿入される指は小指であるため、携帯端末を斜めにした状態で下領域を小指で支えつつ他の指で本体部を支えることとなり、携帯端末が自重によって掌及び他の指で安定的に支持される。従来の携帯情報端末ケースでは、略重心位置に指を通すためのリング部が設けられていたためリング部を中心にぐらつくことがあったが、本件発明によると、指挿入空間に小指を通すことにより、携帯端末の下部を小指で支持しつつ携帯端末の自重を他の指で受け止めるようにして携帯端末を保持することで、安定的に保持することができる。
【００２２】
人の手の指は、親指及び人差し指で操作を行うとお腹側に意識が向くこととなり、薬指及び小指によって操作を行うと背中側に意識が向くこととなる。中指は、中心的な指であり、中指での操作はお腹及び背中の両方に意識が向く。これは発明者が発見した理論であり、親指及び人差し指の筋肉はお腹側の筋肉と連動し、薬指及び小指の筋肉は背中側の筋肉と連動し、中指の筋肉はお腹側の筋肉及び背中側の筋肉と連動していることが原因と考えられる。従来の携帯情報端末ケースを使用すると、人差し指又は中指で当該ケースを保持するため、お腹側に意識が向くことによって背中への意識が薄くなり、背筋が曲がり意識も内向きの思想に陥りがちである。本件発明では、小指によって携帯端末を保持するため、携帯端末の移動動作についても自然と小指を中心に行うこととなる。そうすると、肩から背中に意識が向くこととなり、携帯端末を移動させる際に手首のみを使用するのではなく、腕から肩及び背中を使って移動させることとなる。これによって、背中に意識が向いているため背筋が伸び良い姿勢のまま携帯端末操作を行うことができる。さらに、背筋が伸びることによって体幹に外向きの開く力が働き、内向きの思想ではなく外向きの思想が可能となる。ここで、内向きの思想とは外部からの情報を遮断して脳内で過去のことなどを振り返るなど自省的になることをいい、外向きの思想とは視線を上げることによって外部の情報を取り込み前向きに将来のことを考えることをいう。本件発明の携帯端末を使用することで外向きの思想が優位になり、ポジティブな思考となる。
【００２３】
第３の発明によると、一端部から指支持部にかけて所定方向に捻れるとともに指支持部から他端部にかけて再び所定方向に捻れているため、指挿入空間に挿入された小指が平板形状の平面によって支持される。これにより、指挿入空間に小指を挿入した状態で携帯端末を小指にぶら下げた状態（図６）においても、小指に当該平面が当接することにより小指にかかる負荷を低減することができる。また、保持部は略平板形状であって１回所定方向に捻られるとともに再び１回所定方向に捻られているため、同一平面上に２つに分割した固定部と保持部とを配置し分割した固定部を結合することにより端末保持具を作製することができる（図４）。これにより、簡易な方法で端末保持具を作製することができる。
【００２４】
第４の発明によると、指支持部は一端部及び他端部よりも幅が太いため、指挿入空間に小指を挿入した状態で携帯端末を小指にぶら下げた状態（図６）においても、小指に当該平面が当接することにより小指にかかる負荷を低減することができる。また、保持部と固定部との接続部分に切込が形成されているため、固定部が携帯端末に固定された状態で保持部に強い負荷がかかったとしても固定部が携帯端末から剥がれることを抑制することができる。つまり、切込が形成されていることによって固定部と保持部との接続部分に負荷が集中しなくなるため、固定部が携帯端末から剥がれ難くなる。
【００２５】
第５の発明によると、指挿入空間に指を挿入する方向が固定面と略平行な方向であるため、携帯端末を把持した際に小指が指向する方向と同一となる。これにより、保持部を捻ることなく自然に小指を指挿入空間に挿入することができ、携帯端末又は端末収納ケースを安定的に保持することができる。
【００２６】
第６の発明によると、第１固定部が第２固定部の嵌合孔に嵌合されるため、第１固定部と第２固定部とを重ねるようにして端末保持具を形成したとき、凹凸なく平滑となる。これにより、外観上見栄えの良い端末保持具を実現することができる。
【００２７】
第７の発明によると、指挿入空間は固定面に直交する方向から見て固定部とは重複していないため、固定部が障害とならず端末収納ケースの周縁の端部に保持部を配置することができる。これにより、従来の携帯端末装置保持具と比較して保持の自由度が高くなる。また、指挿入空間に指を挿入する際に、固定部が障害とならずに簡単に指を挿入することができる。また、固定部は携帯端末と端末収納ケースとの間に挟持されているため、保持部に負荷がかかったとしても固定部が端末収納ケースから外れ難い。また、保持部が端末収納ケースの下端部から下方に向けて突出しているため、指挿入空間に小指を挿入して端末収納ケースを保持することができる。端末収納ケースを保持した状態のまま他の作業を行いたい場合には、端末収納ケースの把持を解除して保持部を中心に端末収納ケースを回転させることで掌から端末収納ケースを離間させつつ保持することができる。これにより、掌に携帯端末が存在しなくなるため、小指で携帯端末を保持しつつ自由に他の作業、例えば、鞄の中から必要な物を取出すなどの作業を行うことができる。また、端末収納ケースを保持するのは小指のみを使用しているため、他の指は比較的自由に使用することができる。
【００２８】
第８の発明によると、小指を指挿入空間に挿入して本体部を把持したとき下端部が支点となるため、端末収納ケースを安定的に保持することができる。例えば、支点が端末収納ケースの下端部よりも上方に位置している場合には、携帯端末の重心位置から近い距離が支点となるため、端末収納ケースの安定性に欠ける。しかし、支点が下端部にあることにより、携帯端末の重心位置から最も離間した部分が支点となるため、安定して端末収納ケースを保持することができる。
【００２９】
第９の発明によると、第１固定部と第２固定部と保持部とが同一平面上に位置しているため、簡易な方法で端末保持具を作製することができる。具体的には、ユーザは、図４（ａ）に示す端末保持具において第１固定部と第２固定部とを両者が近接するように携帯端末に固定することにより、図４（ｂ）に示すような端末保持具となる。
【００３０】
第１０の発明によると、一端部と第１固定部との接続部分は第１固定部の中心線からずれた位置に配置されるとともに他端部と第２固定部との接続部分は第２固定部の中心線からずれた位置に配置されているため、端末保持具を携帯端末に固定したときに指挿入空間の断面積を変更することができる。具体的には、図４（ａ）に示す矢印Ｅの方向に第１固定部及び第２固定部を回転させるようにして図４（ｂ）に示す端末保持具を制作すると、一端部と第１固定部との接続部分及び他端部と第２固定部との接続部分は下側にずれているため、指挿入空間の断面積が大きくなる。逆に、図４（ａ）に示す矢印Ｆの方向に第１固定部及び第２固定部を回転させるようにして端末保持具を制作すると、指挿入空間の断面積が小さくなる。これにより、１つの端末保持具で指挿入空間の断面積を調整することができる。
【図面の簡単な説明】
【００３１】
【図１】本発明の第１の実施の形態による端末保持具の斜視図。
【図２】本発明の第１の実施の形態による端末保持具を携帯端末に固定したときの背面斜視図。
【図３】本発明の第１の実施の形態による端末保持具を携帯端末に固定したときの背面図。
【図４】本発明の第１の実施の形態による端末保持具の製造方法を説明するための概略図であって、図４（ａ）は端末保持具の展開図、図４（ｂ）は端末保持具を仮組み立てしたときの平面図、図４（ｃ）は端末保持具が完成したときの平面図。
【図５】本発明の第１の実施の形態による端末保持具の保持部に小指を挿入して携帯端末を保持したときの斜視図。
【図６】本発明の第１の実施の形態による端末保持具の保持部に小指を挿入したまま端末収納ケースから手を離したときの斜視図。
【図７】本発明の第２の実施の形態による端末収納ケースの正面斜視図。
【図８】本発明の第２の実施の形態による端末収納ケースの端末保持具近傍の部分断面図。
【図９】本発明の第３の実施の形態による端末保持具の斜視図。
【図１０】本発明の第３の実施の形態による端末保持具を携帯端末に固定したときの背面斜視図。
【図１１】本発明の第３の実施の形態による端末保持具の製造方法を説明するための概略図であって、図１１（ａ）は端末保持具の展開図、図１１（ｂ）は端末保持具を仮組み立てしたときの平面図、図１１（ｃ）は端末保持具が完成したときの平面図。
【図１２】本発明の第４の実施の形態による端末保持具の製造方法を説明するための概略図であって、図１２（ａ）は端末保持具の展開図、図１２（ｂ）は端末保持具を仮組み立てしたときの平面図、図１２（ｃ）は端末保持具が完成したときの平面図。
【発明を実施するための形態】
【００３２】
本発明の第１の実施の形態による端末保持具１を図１乃至図６に基づき説明する。図中に示すように、前後上下左右方向を定義する。
【００３３】
端末保持具１は、各種情報を表示する表示部１０Ａ（図５）を有する携帯端末１０に装着され、固定部２と、保持部３と、から構成される。携帯端末１０は、スマートフォンやタブレットであるが、情報を表示することができる端末であればこれに限定されない。固定部２と保持部３とは、ゴム層とガラス繊維層とシリコン層の３層で構成される平滑な素材で一体的に構成されている。
【００３４】
固定部２は、図４（ａ）に示すように、第１固定部２１と、第２固定部２２と、表面部材２３（図１）と、を有している。固定部２と保持部３との接続部分には、保持部３が固定部２から延出している延出方向と平行に切込２ａが形成されている。切込２ａは左右方向に並んで４か所形成されていて、保持部３が固定部２に対して激しく動いた場合であっても固定部２の携帯端末１０に対する固定が外れないために設けられている。本実施の形態では、切込２ａは深さ２ｍｍであるが、これに限定されず端末保持具１の形状に応じて任意に設定することができる。また、固定部２に切込２ａを設けなくてもよい。
【００３５】
第１固定部２１と第２固定部２２とは略同一形状であって、角が面取りされた略矩形を成している。第１固定部２１及び第２固定部２２の底面には接着剤が塗布されていて、端末保持具１を携帯端末１０の背面に固定することができる。本実施の形態では、第１固定部２１及び第２固定部２２は、図４（ａ）における上下方向の高さが２９ｍｍであって左右方向の長さが４０ｍｍであるが、これに限定されず携帯端末１０のサイズに応じて任意の形状を選択することができる。第１固定部２１及び第２固定部２２の底面は、本発明の固定面に相当する。表面部材２３は、第１固定部２１と第２固定部２２との上面を覆う部材であって表面に図示せぬイラスト等が描かれている。表面部材２３に企業の広告等を描画することにより、端末保持具１を販促品として使用することもできる。
【００３６】
保持部３は、一端であって第１固定部２１に接続される一端部３１と、一端部３１に接続される指支持部３２と、他端であって第２固定部２２に接続されるとともに指支持部３２にも接続される他端部３３と、を有している。換言すると、指支持部３２は、図４（ａ）に示す展開図において、一端部３１と他端部３３とを左右方向に繋いでいる。保持部３は左右方向中央部の中央線Ｂに対して線対称の形状をなし、一端部３１及び他端部３３は略同一形状である。一端部３１と第１固定部２１との接続部分及び指支持部３２と第２固定部２２との接続部分は、上下方向に僅かに広がっている。一端部３１から指支持部３２にかけて段階的に上下方向に広がり、指支持部３２では上下方向に所定の幅を有し、指支持部３２から他端部３３にかけて段階的に上下方向に狭まっている。固定部２の切込２ａは、一端部３１の第１固定部２１との接続部分の上下方向両端部に形成されるとともに、他端部３３の第２固定部２２との接続部分の上下方向両端部に形成されている。左右方向は、本発明の接続方向に相当する。
【００３７】
図４（ａ）に示すように、保持部３は、第１固定部２１及び第２固定部２２に対して上下方向の中央部から下方に寄った位置に設けられている。換言すると、保持部３の左右方向に延びる中心線Ｃは、第１固定部２１及び第２固定部２２の左右方向に延びる中心線Ｄよりも下方に位置している。つまり、一端部３１と第１固定部２１との接続部分及び他端部３３と第２固定部２２との接続部分は、固定部２における左右方向に延びる中心線から下方にずれた位置に配置されている。
【００３８】
指支持部３２は、端末保持具１を携帯端末１０に固定したときに指を支持する部分であるため、上下方向の幅が一端部３１及び指支持部３２よりも広く構成されている。保持部３と固定部２とで囲まれた空間には、図１乃至図３に斜線で示すように、端末保持具１を携帯端末１０に固定したときにユーザの小指１５が挿入される指挿入空間３ａが規定される。詳細には、図３に示すように、指挿入空間３ａは、固定部２と直交する方向である前後方向から見て固定部２と重複しない位置に形成されている。換言すると、保持部３の内側辺３Ａと、固定部２と、によって区画される平面が指挿入空間３ａとなり、指挿入空間３ａは固定部２の底面（携帯端末１０の表示部１０Ａ）と略平行である。固定部２から突出するように形成されることにより、指挿入空間３ａが固定部２からずれた位置に形成される。さらに、固定部２の底面と、固定部２及び保持部３によって区画された面（指挿入空間３ａ）とは略平行な面となる。
【００３９】
指挿入空間３ａは、小指１５が挿入可能な程度の面積を有し、略楕円形状である。本実施の形態では、図４（ａ）に示す状態において、一端部３１及び他端部３３の上下方向の幅が４.５ｍｍであって、指支持部３２における上下方向の幅が９ｍｍであって、保持部３の左右方向の長さが６５ｍｍであるが、これに限定されず携帯端末１０のサイズに応じて任意の形状を選択することができる。
【００４０】
次に、端末保持具１の携帯端末１０への取り付けについて、図２及び図３を参照して説明する。端末保持具１は、保持部３が下方に突出するように固定部２を携帯端末１０の下端部の左右方向中央に取り付ける。このとき、図３に示すように、固定部２の底面に直交する方向（前後方向）から見て、指挿入空間３ａと携帯端末１０とが重複しない位置に取り付けることが望ましい。
【００４１】
次に、図４を参照して端末保持具１の製造方法について説明する。図４（ａ）に示すように、端末保持具１の組み立て前の状態では、第１固定部２１、第２固定部２２、及び保持部３はフラットな平面形状を成している。この状態から、矢印Ｅで示すように、内側辺３Ａが内側に位置するように第１固定部２１の上端面と第２固定部２２の上端面とを接合すると、図４（ｂ）に示す状態となる。このとき、保持部３は一端部３１と指支持部３２との接続部分で所定方向に略９０°捻れ、指支持部３２と他端部３３との接続部分で所定方向に略９０°捻れる。ここでいう所定方向とは、下から見た時計回り方向をいう。詳細には、図４（ａ）における保持部３の紙面手前側の平面は、図４（ｂ）に示す状態では、一端部３１では紙面手前側を向き、指支持部３２では上方向を向き、他端部３３では再び紙面手前側を向いている。
【００４２】
図４（ｂ）に示す状態から、第１固定部２１及び第２固定部２２の上面に表面部材２３を貼り付けることにより第１固定部２１と第２固定部２２との接続部分を目立ちにくくする。このとき、表面部材２３に広告等を印刷してもよい。これにより、図４（ｃ）に示すような端末保持具１となる。なお、図４（ａ）の矢印Ｆで示す方向に回転させて端末保持具１を作製してもよい。この場合には、保持部３の下側の辺が内側辺３Ｂとなる。保持部３の中心線Ｃは固定部２の中心線Ｄよりも下方に位置しているため、矢印Ｆの方向に回転させると一端部３１と他端部３３との左右方向の距離が短くなり指挿入空間３ａの面積が図４（ｂ）と比べて小さくなる。つまり、保持部３の中心線Ｃと固定部２の中心線Ｄとが上下にずれていることにより、指挿入空間３ａの面積を調整することができる。本実施の形態では、第１固定部２１及び第２固定部２２の上端部と中心線Ｃとの上下方向の距離は１７ｍｍであって、第１固定部２１及び第２固定部２２の下端部と中心線Ｃとの距離は１２ｍｍであるが、これに限定されず、指挿入空間３ａの面積に応じて任意に設定することができる。
【００４３】
次に、端末保持具１を用いた携帯端末１０の保持方法について、図５及び図６を参照して説明する。ユーザは、親指１１と、人差し指１２と、中指１３と、薬指１４と、で端末保持具１を把持し、小指１５のみを指挿入空間３ａに挿入する。図５に示すように、ユーザは、人差し指１２と、中指１３と、薬指１４と、で携帯端末１０の背面を支え、小指１５を指挿入空間３ａに挿入し、親指１１で携帯端末１０の表示部１０Ａを操作する。携帯端末１０の重心Ｇは略中央から下方に向けて働くため、人差し指１２、中指１３、及び薬指１４で携帯端末１０を安定的に保持することができる。つまり、携帯端末１０は重心Ｇから離間した支点Ｓで小指１５によって保持されているため、重心Ｇ近傍を複数の指で支持することで携帯端末１０の自重を利用して安定的に保持することができる。ここで、支点Ｓは端末保持具１が携帯端末１０を支持する支点であり、携帯端末１０の下端部に位置することとなる。
【００４４】
ユーザは、携帯端末１０を把持したまま他の作業を行いたい場合には、携帯端末１０の背面を支持している人差し指１２、中指１３、及び薬指１４を携帯端末１０から離すことで、図６に示すように、携帯端末１０が自重で小指１５（支点Ｓ）を中心に反時計回り方向に回転する。これにより、ユーザは携帯端末１０を手から離すことなく小指１５以外の指で他の作業を行うことができる。再び携帯端末１０を操作するときは、反動を使い、又はもう一方の手で携帯端末１０を小指１５（支点Ｓ）を中心に時計回り方向に回転させて再び図５に示す状態とする。
【００４５】
このような構成によると、指挿入空間３ａは固定面に直交する方向である前後方向から見て固定部２とは重複していないため、固定部２が障害とならず携帯端末１０の周縁端部に保持部３を配置することができる。これにより、従来の携帯端末装置保持具と比較して任意の位置に端末保持具１を配置することができ、保持の自由度が高くなる。つまり、端末保持具１を携帯端末１０の周縁端部に配置することができ、例えば、保持部３を固定面に直交する方向である前後方向から見て携帯端末１０とは重複しない位置であって、携帯端末１０から突出するように配置することができる。また、指挿入空間３ａに指を挿入する際に、固定部２と干渉することなく簡単に指を挿入することができる。
【００４６】
このような構成によると、指挿入空間３ａと固定面とは略平行であるため、固定部２が障害とならず携帯端末１０の周縁端部に保持部３を配置することができる。これにより、従来の携帯端末装置保持具と比較して保持の自由度が高くなる。また、指挿入空間３ａに挿入される指は小指１５であるため、ユーザは小指１５のみを指挿入空間３ａに挿入することにより携帯端末１０を保持することができる。携帯端末１０を保持した状態のまま他の作業を行いたい場合には、携帯端末１０の把持を解除して保持部３を中心に携帯端末１０を回転させることで掌から携帯端末を離間させつつ保持することができる（図６）。これにより、掌に携帯端末が存在しなくなるため、小指１５で携帯端末１０を保持しつつ自由に他の作業、例えば、鞄の中から必要な物を取出すなどの作業を行うことができる。また、携帯端末１０を保持するのは小指１５のみを使用しているため、他の指は比較的自由に使用することができる。これにより、携帯端末１０に設けられたカメラで自撮りをする際に、携帯端末１０を安定的に保持するとともに小指１５以外の他の指を使用してブレることなく撮影することができる。さらに、指挿入空間３ａに挿入される指は小指１５であるため、携帯端末１０を斜めにした状態で下領域を小指１５で支えつつ他の指で本体部分を支えることとなり、携帯端末１０が自重によって掌及び他の指で安定的に支持される。従来の携帯情報端末ケースでは、略重心位置に指を通すためのリング部が設けられていたためリング部を中心にぐらつくことがあったが、本件発明によると、指挿入空間３ａに小指１５を通すことにより、携帯端末１０の下部を小指１５で支持しつつ携帯端末１０の自重を他の指で受け止めるようにして携帯端末１０を保持することで、安定的に保持することができる。
【００４７】
人の手の指は、親指１１及び人差し指１２で操作を行うとお腹側に意識が向くこととなり、薬指１４及び小指１５によって操作を行うと背中側に意識が向くこととなる。中指１３は、中心的な指であり、中指１３での操作はお腹及び背中の両方に意識が向く。これは発明者が発見した理論であり、親指１１及び人差し指１２の筋肉はお腹側の筋肉と連動し、薬指１４及び小指１５の筋肉は背中側の筋肉と連動し、中指１３の筋肉はお腹側の筋肉及び背中側の筋肉と連動していることが原因と考えられる。従来の携帯情報端末ケースを使用すると、人差し指１２又は中指１３で当該ケースを保持するため、お腹側に意識が向くことによって背中への意識が薄くなり、背筋が曲がり意識も内向きの思想に陥りがちである。本件発明では、小指１５によって携帯端末１０を保持するため、携帯端末１０の移動動作についても自然と小指１５を中心に行うこととなる。そうすると、肩から背中に意識が向くこととなり、携帯端末１０を移動させる際に手首のみを使用するのではなく、腕から肩及び背中を使って移動させることとなる。これによって、背中に意識が向いているため背筋が伸び良い姿勢のまま携帯端末１０の操作を行うことができる。さらに、背筋が伸びることによって体幹に外向きの開く力が働き、内向きの思想ではなく外向きの思想が可能となる。ここで、内向きの思想とは外部からの情報を遮断して脳内で過去のことなどを振り返るなど自省的になることをいい、外向きの思想とは視線を上げることによって外部の情報を取り込み前向きに将来のことを考えることをいう。本件発明の携帯端末１０を使用することで外向きの思想が優位になり、ポジティブな思考となる。
【００４８】
このような構成によると、一端部３１から指支持部３２にかけて所定方向に捻れるとともに指支持部３２から他端部３３にかけて再び所定方向に捻れているため、指挿入空間３ａに挿入された小指１５が平板形状の平面によって支持される。ここでいう捻れる方向は、保持部３から見た方向をいう。これにより、指挿入空間３ａに小指１５を挿入した状態で携帯端末１０を小指１５にぶら下げた状態（図６）においても、小指１５に当該平面が当接することにより小指１５にかかる負荷を低減することができる。また、保持部３は略平板形状であって１回所定方向に捻られるとともに再び１回所定方向に捻られているため、同一平面上に第１固定部２１と第２固定部２２と保持部３とを配置し第１固定部２１と第２固定部２２とを結合することにより端末保持具１を作製することができる（図４）。これにより、簡易な方法で端末保持具１を作製することができる。
【００４９】
このような構成によると、指支持部３２は一端部３１及び他端部３３よりも幅が太いため、指挿入空間３ａに小指１５を挿入した状態で携帯端末１０を小指１５にぶら下げた状態（図６）においても、小指１５に当該平面が当接することにより小指１５にかかる負荷を低減することができる。また、保持部３と固定部２との接続部分に切込２ａが形成されているため、固定部２が携帯端末１０に固定された状態で保持部３に強い負荷がかかったとしても固定部２が携帯端末１０から剥がれることを抑制することができる。つまり、切込２ａが形成されていることによって固定部２と保持部３との接続部分に負荷が集中しなくなるため、固定部２が携帯端末１０から剥がれ難くなる。
【００５０】
このような構成によると、第１固定部２１と第２固定部２２と保持部３とが同一平面上に位置しているため、簡易な方法で端末保持具１を作製することができる。具体的には、ユーザは、図４（ａ）に示す端末保持具１において第１固定部２１と第２固定部２２とを両者が近接するように携帯端末１０に固定することにより、図４（ｂ）に示すような端末保持具１となる。
【００５１】
このような構成によると、一端部３１と第１固定部２１との接続部分は第１固定部の中心線からずれた位置に配置されるとともに他端部と第２固定部との接続部分は第２固定部の中心線からずれた位置に配置されているため、端末保持具１を携帯端末１０に固定したときに指挿入空間３ａの断面積を変更することができる。具体的には、図４（ａ）に示す矢印Ｅの方向に第１固定部２１及び第２固定部２２を回転させるようにして図４（ｂ）に示す端末保持具１を制作すると、一端部３１と第１固定部２１との接続部分及び他端部３３と第２固定部２２との接続部分は中心線Ｄに対して下側にずれているため、指挿入空間３ａの断面積が大きくなる。逆に、図４（ａ）に示す矢印Ｆの方向に第１固定部２１及び第２固定部２２を回転させるようにして端末保持具を制作すると、指挿入空間３ａの断面積が小さくなる。これにより、１つの端末保持具１で指挿入空間３ａの断面積を調整することができる。
【００５２】
次に、本発明の第２の実施の形態について、図７及び図８を参照して説明する。第１の実施の形態と略同一の構成については、同一の符号を付し説明を省略する。第２の実施の形態では、第１の実施の形態の端末保持具１を、携帯端末１０を収納するケースである端末収納ケース１１０に一体的に設けている。端末収納ケース１１０は、本体部１１１と、端末保持具１と、から構成される。
【００５３】
本体部１１１の下端部には、端末保持具１が固定されていて、カメラ孔１１１ａと、ボタン孔１１１ｂと、段差１１１ｃと、が形成されている。
【００５４】
カメラ孔１１１ａは略楕円形状であって、携帯端末１０のカメラに相当する位置に形成されている。ボタン孔１１１ｂは、本体部１１１の左側側面の上部であって、携帯端末１０のボタンに相当する位置に形成されている。段差１１１ｃは、本体部１１１の下部であって、携帯端末１０のスピーカ又は端子接続部に相当する位置に形成されている。
【００５５】
図８に示すように、端末収納ケース１１０の本体部１１１に携帯端末１０を収納すると、固定部２が携帯端末１０と本体部１１１との間に挟持された状態となる。これにより、端末保持具１をより強固に端末収納ケース１１０に固定することができる。
【００５６】
このような構成によると、指挿入空間３ａは固定面に直交する方向から見て固定部２とは重複していないため、固定部２が障害とならず端末収納ケース１１０の周縁の端部に保持部３を配置することができる。これにより、従来の携帯端末装置保持具と比較して保持の自由度が高くなる。また、指挿入空間３ａに指を挿入する際に、固定部２が障害とならずに簡単に指を挿入することができる。また、固定部２は携帯端末１０と端末収納ケース１１０との間に挟持されているため、保持部３に負荷がかかったとしても固定部２が端末収納ケース１１０から外れ難い。また、保持部３が端末収納ケース１１０の下端部から下方に向けて突出しているため、指挿入空間３ａに小指１５を挿入して携帯端末１０を保持することができる。携帯端末１０を保持した状態のまま他の作業を行いたい場合には、端末収納ケース１１０の把持を解除して保持部を中心に端末収納ケース１１０を回転させることで掌から端末収納ケース１１０を離間させつつ保持することができる。これにより、掌に携帯端末１０が存在しなくなるため、小指１５で携帯端末１０を保持しつつ自由に他の作業、例えば、鞄の中から必要な物を取出すなどの作業を行うことができる。また、端末収納ケース１１０を保持するのは小指１５のみを使用しているため、他の指は比較的自由に使用することができる。
【００５７】
このような構成によると、小指１５を指挿入空間３ａに挿入して本体部１１１を把持したとき下端部が支点Ｓとなるため、端末収納ケース１１０を安定的に保持することができる。例えば、支点Ｓが端末収納ケース１１０の下端部よりも上方に位置している場合には、携帯端末１０の重心位置から近い距離が支点となるため、端末収納ケース１１０の安定が良くない。しかし、支点Ｓが下端部にあることにより、携帯端末１０の重心位置から最も離間した部分が支点となるため、安定して端末収納ケース１１０を保持することができる。
【００５８】
次に、本発明の第３の実施の形態について、図９乃至図１１を参照して説明する。第１の実施の形態と略同一の構成については、同一の符号を付し説明を省略する。
【００５９】
端末保持具１０１は、固定部１０２と、保持部１０３と、から構成される。固定部１０２と保持部１０３とは、ゴム層とガラス繊維層とシリコン層の３層で構成される平滑な素材で一体的に構成されている。
【００６０】
固定部１０２は、図１１（ａ）に示すように、第１固定部１２１と、第２固定部１２２と、表面部材１２３（図９）と、を有している。第１固定部１２１は上下方向に長い略矩形であって、第２固定部１２２は第１固定部１２１と略同一の上下方向の長さを有する略矩形である。第１固定部１２１及び第２固定部１２２の底面には接着剤が塗布されていて、端末保持具１０１を携帯端末１０の背面に固定することができる。第１固定部１２１及び第２固定部１２２の底面は、本発明の固定面に相当する。表面部材１２３は、第１固定部１２１と第２固定部１２２との上面を覆う部材であって表面に図示せぬイラスト等が描かれている。表面部材１２３に企業の広告等を描画することにより、端末保持具１０１を販促品として使用することもできる。
【００６１】
保持部１０３は、一端であって第１固定部１２１に接続される一端部１３１と、一端部１３１に接続される指支持部１３２と、他端であって第２固定部１２２に接続されるとともに指支持部１３２にも接続される他端部１３３と、を有している。換言すると、指支持部１３２は、図１１（ａ）に示す展開図において、一端部１３１と他端部１３３とを左右方向に繋いでいる。保持部１０３は左右方向中央部の中央線Ｂに対して線対称の形状をなし、一端部１３１及び他端部１３３は略同一形状である。一端部１３１と第１固定部１２１との接続部分及び指支持部１３２と第２固定部１２２との接続部分は、上下方向に僅かに広がっている。一端部１３１から指支持部１３２にかけて段階的に上下方向に広がり、指支持部１３２では上下方向に所定の幅を有し、指支持部１３２から他端部１３３にかけて段階的に上下方向に狭まっている。左右方向は、本発明の接続方向に相当する。
【００６２】
指支持部１３２は、端末保持具１０１を携帯端末１０に固定したときに指を支持する部分であるため、上下方向の幅が一端部１３１及び指支持部１３２よりも広く構成されている。一端部１３１と、指支持部１３２と、他端部１３３と、で囲まれた空間には、図９及び図１０に斜線で示すように、端末保持具１０１を携帯端末１０に固定したときにユーザの小指１５が挿入される指挿入空間１０３ａが規定される。詳細には、図１０に示すように、指挿入空間１０３ａは、固定部２の底面と略平行な方向である左右方向に小指１５を挿入するように形成されている。換言すると、小指１５が挿入される面は保持部１０３の辺１０３Ａによって区画される平面であり、指挿入空間１０３ａは固定部１０２の底面（携帯端末１０の表示部１０Ａ）と交差する面である。
【００６３】
指挿入空間１０３ａは、小指１５が挿入可能な程度の面積を有し、略滴形状である。小指１５を指挿入空間１０３ａに挿入する方向は、左右方向であって固定部１０２の底面と略平行な方向である。つまり、ユーザが指挿入空間１０３ａに小指１５を挿入するときは、固定部１０２の長手方向である左右方向と略同一の方向に小指１５を挿入する。本実施の形態では、図１１（ａ）に示す状態において、一端部１３１及び他端部１３３の上下方向の幅が５.５ｍｍであって、指支持部１３２における上下方向の幅が１０ｍｍであって、保持部１０３の左右方向の長さが６５ｍｍであるが、これに限定されず携帯端末１０のサイズに応じて任意の形状を選択することができる。
【００６４】
次に、端末保持具１０１の携帯端末１０への取り付けについて、図１０を参照して説明する。端末保持具１０１は、保持部１０３が下方に突出するように固定部１０２を携帯端末１０の下端部の左右方向中央に取り付ける。このとき、固定部１０２の底面に直交する方向（前後方向）から見て、指挿入空間１０３ａと携帯端末１０とが重複しない位置に取り付けることが望ましい。
【００６５】
次に、図１１を参照して端末保持具１０１の製造方法について説明する。図１１（ａ）に示すように、端末保持具１０１の組み立て前の状態では、第１固定部１２１、第２固定部１２２、及び保持部１０３はフラットな平面形状を成している。この状態から、矢印Ｈで示すように、第１固定部１２１が第２固定部１２２の左端部と一致するように接合すると、図１１（ｂ）に示す状態となる。これにより、保持部１０３で囲まれた空間である指挿入空間１０３ａが規定される。
【００６６】
図１１（ｂ）に示す状態から、第１固定部１２１及び第２固定部１２２の上面に表面部材１２３を貼り付けることにより第１固定部１２１と第２固定部１２２との接続段差を目立ちにくくする。このとき、表面部材１２３に広告等を印刷してもよい。これにより、図１１（ｃ）に示すような端末保持具１０１となる。
【００６７】
このような構成により、指挿入空間１０３ａに小指１５を挿入する方向が固定部１０２の底面と平行な方向であるため、携帯端末１０を把持した際に小指１５が指向する方向と同一となる。これにより、保持部１０３を捻ることなく自然に小指１５を指挿入空間１０３ａに挿入することができ、携帯端末１０又は端末収納ケース１１０を安定的に保持することができる。
【００６８】
次に、本発明の第４の実施の形態について、図１２を参照して説明する。上述の実施の形態と略同一の構成については、同一の符号を付し説明を省略する。
【００６９】
端末保持具２０１は、固定部２０２と、保持部２０３と、から構成される。固定部２０２と保持部２０３とは、ゴム層とガラス繊維層とシリコン層の３層で構成される平滑な素材で一体的に構成されている。
【００７０】
固定部２０２は、図１２に示すように、第１固定部２２１と、第２固定部２２２と、表面部材２２３と、を有している。第１固定部２２１は上下方向に長い略矩形であって、第２固定部２２２は第１固定部２２１よりも上下方向及び左右方向に長い略矩形である。第２固定部２２２には、第１固定部２２１と略同一形状の嵌合孔２２２ａが形成されている。第１固定部２２１の表面及び第２固定部２２２の底面には接着剤が塗布されていて、端末保持具２０１を携帯端末１０の背面に固定することができる。第１固定部２２１の表面及び第２固定部２２２の底面は、本発明の固定面に相当する。表面部材２２３は、第１固定部２２１と第２固定部２２２との上面を覆う部材であって表面に図示せぬイラスト等が描かれている。表面部材２２３に企業の広告等を描画することにより、端末保持具２０１を販促品として使用することもできる。
【００７１】
保持部２０３は、一端であって第１固定部２２１に接続される一端部２３１と、一端部２３１に接続される指支持部２３２と、他端であって第２固定部２２２に接続されるとともに指支持部２３２にも接続される他端部２３３と、を有している。換言すると、指支持部２３２は、図１２（ａ）に示す展開図において、一端部２３１と他端部２３３とを左右方向に繋いでいる。一端部２３１は他端部２３３よりも上下方向の幅が細くなるように構成されている。一端部２３１と第１固定部２２１との接続部分は、上下方向に僅かに広がっている。一端部２３１から指支持部２３２にかけて段階的に上下方向に広がり、指支持部２３２では上下方向に所定の幅を有し、指支持部２３２から他端部２３３にかけてはほぼ同一の上下方向の幅を有している。左右方向は、本発明の接続方向に相当する。
【００７２】
指支持部２３２は、端末保持具２０１を携帯端末１０に固定したときに指を支持する部分であるため、上下方向の幅が一端部２３１よりも広く構成されている。一端部２３１と、指支持部２３２と、他端部２３３と、で囲まれた空間には、端末保持具２０１を携帯端末１０に固定したときにユーザの小指１５が挿入される指挿入空間が規定される。詳細には、第３の実施の形態と同様に、指挿入空間は、固定部２０２の底面と平行な方向である左右方向に小指１５を挿入するように形成されている。
【００７３】
次に、端末保持具２０１の製造方法について説明する。図１２（ａ）に示すように、端末保持具２０１の組み立て前の状態では、第１固定部２２１、第２固定部２２２、及び保持部２０３はフラットな平面形状を成している。この状態から、矢印Ｈで示すように、第１固定部２２１が第２固定部２２２の嵌合孔２２２ａと嵌合するように接合すると、図１２（ｂ）に示す状態となる。これにより、保持部２０３で囲まれた空間である指挿入空間が規定される。このとき、第１固定部２２１と第２固定部２２２とは同一の厚みであるため、第１固定部２２１と第２固定部２２２との境界には段差がない。
【００７４】
図１２（ｂ）に示す状態から、第１固定部２２１及び第２固定部２２２の上面に表面部材２２３を貼り付けることにより第１固定部２２１と第２固定部２２２との接続境界を目立ちにくくする。このとき、表面部材２２３に広告等を印刷してもよい。これにより、図１２（ｃ）に示すような端末保持具２０１となる。
【００７５】
このような構成によると、第１固定部２２１が第２固定部２２２の嵌合孔２２２ａに嵌合されるため、第１固定部２２１と第２固定部２２２とを重ねるようにして端末保持具２０１を形成したとき、凹凸なく平滑となる。これにより、外観上見栄えの良い端末保持具２０１を実現することができる。
【００７６】
本発明による端末保持具及び端末収納ケースは、上述した実施の形態に限定されず、特許請求の範囲に記載された発明の要旨の範囲内で種々の変更が可能である。
【００７７】
上述の実施の形態では、保持部は複数の層により構成されたが、素材及び形状はこれに限定されない。例えば、ポリエチレン、ポリプロピレン、ポリスチレン、ポリ塩化ビニル、ポリエステル等の合成樹脂であってもよく、シリコンのように柔軟性を備えていてもよい。また、リング状、ヒモ状、円筒状、平板形状であってもよく、ゴム、皮、シリコン等であってもよい。
【００７８】
上述の実施の形態では、端末保持具１は固定部２を携帯端末１０に固定することにより携帯端末１０を保持したがこれに限定されない。例えば、端末収納ケース１１０の背面に端末保持具１を固定してもよい。
【００７９】
上述の実施の形態では、端末保持具１は固定部２を携帯端末１０に固定していたが、これに限定されない。固定部２に加えて挟持部を設け、挟持部を端末収納ケースの段差から端末収納ケースの内部空間に挿入し、端末収納ケースと携帯端末との間に挟持させるように構成してもよい。
【符号の説明】
【００８０】
１、１０１、２０１    端末保持具
２、１０２、２０２    固定部
２ａ  切込
３、１０３、２０３    保持部
３ａ、１０３ａ  指挿入空間
１０    携帯端末
２１、１２１、２２１    第１固定部
２２、１２２、２２２    第２固定部
２３、１２３、２２３    表面部材
３１、１３１、２３１    一端部
３２、１３２、２３２    指支持部
３３、１３３、２３３    他端部
１１０  端末収納ケース
１１１  本体部
【図１】
2020022149.tif 000003
【図２】
2020022149.tif 000004
【図３】
2020022149.tif 000005
【図４】
2020022149.tif 000006
【図５】
2020022149.tif 000007
【図６】
2020022149.tif 000008
【図７】
2020022149.tif 000009
【図８】
2020022149.tif 000010
【図９】
2020022149.tif 000011
【図１０】
2020022149.tif 000012
【図１１】
2020022149.tif 000013
【図１２】
2020022149.tif 000014